(57)【要約】      （修正有）【課題】腰ベルトの長さを微調整可能にする腰ベルト用微調整中留を提供する。【解決手段】腰ベルト用微調整中留１０は、腰バンドの一方に接続する中留本体２０と、腰バンドの他方に接続するアジャスト部材４０とを備える。そして、中留本体２０とアジャスト部材４０は、アジャスト部材４０に設けられ長手方向に延伸するレール部４５を中留本体２０内で任意の長さで係合する。これによって、腰ベルトの長さを微調整可能となる。当該係合は、中留本体２０内に付勢部材を介して設けられた一対の係合突起と、レール部４５に係合突起と係合する一対の係合溝を長手方向に連続して複数箇所形成した係合孔との係合である。【選択図】図１
0003179200.tif 000002
【実用新案登録請求の範囲】
【請求項１】
腰ベルトの長さを微調整可能にする腰ベルト用微調整中留であって、
腰バンドの一方に接続する中留本体と、腰バンドの他方に接続するアジャスト部材とを備え、
中留本体とアジャスト部材は、アジャスト部材に設けられ長手方向に延伸するレール部を中留本体内で係合し、
当該係合は、中留本体内に付勢部材を介して設けられた一対の係合突起と、レール部に係合突起と係合する一対の係合溝を長手方向に連続して複数箇所形成した係合孔との係合であることを特徴とする腰ベルト用微調整中留。
【請求項２】
一対の係合突起は、中留本体からその端部を突出させた一対のプッシュボタンと一体になっており、プッシュボタンの動作に連動することを特徴とする請求項１記載の腰ベルト用微調整中留。
【請求項３】
レール部は、レール上板とレール下板を積層するように構成し、レール下板には係合孔を形成し、レール上板には係合孔を形成しないことを特徴とする請求項１又は２記載の腰ベルト用微調整中留。
【請求項４】
請求項１，２又は３記載の腰ベルト用微調整中留を備えた腰ベルト。
【考案の詳細な説明】
【技術分野】
【０００１】
本願考案は、腰ベルトの長さを微調整可能にする腰ベルト用微調整中留に関するものである。
【背景技術】
【０００２】
これまで、腰ベルトの長さを調整可能にする技術には、古くから種々のものがある（比較的新しいものでは、特許文献１など）。
【先行技術文献】
【特許文献】
【０００３】
【特許文献１】特開２０１０−２７０４１３号公報
【考案の概要】
【考案が解決しようとする課題】
【０００４】
腰ベルトについては、ベルトの穴を１つ変える程ではないが、ほんの少しだけ調整（微調整）したい場合や、ベルトを装着してから微調整したい場合もある。
しかしながら、これまでこのような微調整可能な腰ベルトは存在していなかった。
そこで、本願考案者らは、腰ベルトの長さを微調整可能にする腰ベルト用微調整中留の提供を目的として、本願考案を完成するに至った。
【課題を解決するための手段】
【０００５】
本願考案の内容は、以下の通りである。
第１の考案は、腰ベルトの長さを微調整可能にする腰ベルト用微調整中留であって、腰バンドの一方に接続する中留本体と、腰バンドの他方に接続するアジャスト部材とを備え、中留本体とアジャスト部材は、アジャスト部材に設けられ長手方向に延伸するレール部を中留本体内で係合し、当該係合は、中留本体内に付勢部材を介して設けられた一対の係合突起と、レール部に係合突起と係合する一対の係合溝を長手方向に連続して複数箇所形成した係合孔との係合であることを特徴とするものである。
第２の考案は、一対の係合突起が、中留本体からその端部を突出させた一対のプッシュボタンと一体になっており、プッシュボタンの動作に連動することを特徴とする同腰ベルト用微調整中留である。
第３の考案は、レール部が、レール上板とレール下板を積層するように構成し、レール下板には係合孔を形成し、レール上板には係合孔を形成しないことを特徴とする同腰ベルト用微調整中留である。
第４の考案は、上記第１乃至第３の腰ベルト用微調整中留を備えた腰ベルトである。
【考案の効果】
【０００６】
本願考案によれば、以下のような効果を有する。
（１）腰バンドの一方に接続する中留本体と、腰バンドの他方に接続するアジャスト部材とを備え、中留本体とアジャスト部材は、アジャスト部材に設けられ長手方向に延伸するレール部を中留本体内で係合し、当該係合は、中留本体内に付勢部材を介して設けられた一対の係合突起と、レール部に係合突起と係合する一対の係合溝を長手方向に連続して複数箇所形成した係合孔との係合であることによって、一対の係合溝を長手方向に連続して複数箇所形成した係合孔の任意の係合溝に一対の係合突起を係合させることができ、その結果アジャスト部材に設けられたレール部を任意の長さで中留本体内で係合するので、腰ベルトの長さを微調整可能となる。
（２）一対の係合突起が、中留本体からその端部を突出させた一対のプッシュボタンと一体になっており、プッシュボタンの動作に連動することで、プッシュボタンの操作によって、極めて簡単に任意の（一対の）係合溝に一対の係合突起を係合させることができる。
（３）レール部が、レール上板とレール下板を積層するように構成し、レール下板には係合孔を形成し、レール上板には係合孔を形成しないことで、レール部を中留本体から引き出して微調整した状態であっても係合孔が外観上表れずに、美観的に優れたものになる。
（４）本願考案に係る腰ベルト用微調整中留を備えることで、ベルトの穴を１つ変える程ではないが、ほんの少しだけ調整（微調整）可能な腰ベルトや、ベルトを装着してから微調整可能な腰ベルトを提供できる。
【図面の簡単な説明】
【０００７】
【図１】本願考案に係る腰ベルト用微調整中留の外観斜視図。
【図２】本願考案に係る腰ベルト用微調整中留の説明図（平面図）。
【図３】本願考案に係る腰ベルト用微調整中留の説明図（正面図）。
【考案を実施するための形態】
【０００８】
本願考案の実施形態を図面に基づいて説明する。
図１は、本願考案に係る腰ベルト用微調整中留１０の外観斜視図である。
図１に示すように腰ベルト用微調整中留１０は、腰バンド（図示省略）の一方に接続する中留本体２０と、腰バンド（図示省略）の他方に接続するアジャスト部材４０とを備える。
【０００９】
そして、中留本体２０とアジャスト部材４０は、アジャスト部材４０に設けられ長手方向に延伸するレール部４５を中留本体２０内で任意の長さで係合する。これによって、腰ベルトの長さを微調整可能となる。すなわち、図１上図は、腰ベルトの微調整前の状態であり、図１下図は、レール部４５を中留本体２０から引き出して微調整した状態である。
【００１０】
図２及び図３は、本願考案に係る腰ベルト用微調整中留１０の説明図（図２：平面図、図３：正面図）である。
図２及び図３に示すように、中留本体２０内には、付勢部材３０（例えば、圧縮コイルバネ等）を介して設けられた一対の係合突起３１，３１を備える。この一対の係合突起３１，３１は、中留本体２０からその端部３６，３６を突出させた一対のプッシュボタン３５，３５と一体になっており、プッシュボタン３５，３５の動作に連動する。
【００１１】
また、アジャスト部材４０のレール部４５には、一対の係合突起３１，３１と係合する一対の係合溝４９，４９を長手方向に連続して複数箇所形成した係合孔４８を有する。
そして、この係合孔４８の任意の係合溝４９，４９に一対の係合突起３１，３１を係合させることができ、その結果アジャスト部材４０に設けられたレール部４５を任意の長さで中留本体２０内で係合するので、腰ベルトの長さが微調整可能となる。
【００１２】
ここで、係合突起３１，３１はプッシュボタン３５，３５の動作に連動するので、プッシュボタン３５，３５を押す（中留本体２０内側へスライドさせる）と、係合突起３１，３１と係合溝４９，４９の係合状態が解除されて、レール部４５がフリーの状態になる。そして、プッシュボタン３５，３５をそのままの状態（押さない状態）にすると、係合突起３１，３１は、いずれかの係合溝４９，４９と係合状態となり、レール部４５はロック（固定）された状態になる。
【００１３】
また、レール部４５は、図３に図示するように、レール上板４６とレール下板４７から構成されるようにするとよい。レール下板４７には係合孔４８を形成し、レール上板４６には係合孔を形成しないようにすることで、レール部４５を中留本体２０から引き出して微調整した状態であっても係合孔４８が外観上表れずに、美観的に優れたものになる。
【産業上の利用可能性】
【００１４】
以上のような腰ベルト用微調整中留１０を備えることで、ベルトの穴を１つ変える程ではないが、ほんの少しだけ調整（微調整）可能な腰ベルトや、ベルトを装着してから微調整可能な腰ベルトを提供できる。
【符号の説明】
【００１５】
１０  腰ベルト用微調整中留
２０  中留本体
２１  カバー
２２  接続駒
２５  バネ棒
３０  付勢部材
３１  係合突起
３５  プッシュボタン
３６  端部
４０  アジャスト部材
４５  レール部
４６  レール上板
４７  レール下板
４８  係合孔
４９  係合溝
【図１】
0003179200.tif 000003
【図２】
0003179200.tif 000004
【図３】
0003179200.tif 000005